(57)【要約】【課題】本発明は、検知素子のＬＥＤ光源発生装置を提供する。【解決手段】青色灯固定リングに白色リング状灯と青色リング状灯が設置され、緑色灯固定リングに緑色リング状灯が設置され、赤色灯固定リングに赤色リング状灯が設置されるように、青色灯固定リングと緑色灯固定リング及び赤色灯固定リングは、順に下から上へ設置され、白色リング状灯が、下端に設置され、放熱リングが、緑色灯リングの回りに設置され、上端面に、放熱ファンと光源固定リングが設置される。本発明は、複数の発光素子を、例えば、赤色や緑色、青色及び白色の４種類の光源を、異なる角度で照射させて、異なる反射光を利用して、より多い情報が得られる。また、素子を検知することがより便利であり、素子の品質を保証できる。【選択図】図１
2009500810.tif 000002
【特許請求の範囲】
【請求項１】
放熱ファン（１）、赤色灯固定リング（２）、緑色灯固定リング（３）、青色灯固定リング（４）、光源固定リング（５）、放熱リング（６）、青色リング状灯（７）、緑色リング状灯（８）、赤色リング状灯（９）及び白色リング状灯（１０）から構成される光源発生装置であって、
青色灯固定リング（４）に白色リング状灯（１０）と青色リング状灯（７）が設置され、
青色リング状灯（７）に緑色灯固定リング（３）が設置され、
緑色灯固定リング（３）に緑色リング状灯（８）が設置され、
緑色リング状灯（８）に赤色灯固定リング（２）が設置され、
赤色灯固定リング（２）に赤色リング状灯（９）が設置され、
緑色リング状灯（８）の回りに、放熱リング（６）が設置され、上部に光源固定リング（５）と放熱ファン（１）が設置されることを特徴とする、
光源発生装置。
【請求項２】
リング状灯の配列が、上から下へ順に赤色リング状灯（９）、緑色リング状灯（８）、青色リング状灯（７）、白色リング状灯（１０）であることを特徴とする、請求項１に記載の光源発生装置。
【請求項３】
各光源とカメラの角度が、赤色リング状灯（９）、緑色リング状灯（８）、青色リング状灯（７）、白色リング状灯（１０）の順に大きいことを特徴とする、請求項１又は２に記載の光源発生装置。
【発明の詳細な説明】
【技術分野】
【０００１】
本発明は、検知素子のＬＥＤ光源発生装置に関し、特に、複数の発光素子を、例えば、赤色や緑色、青色及び白色の４種類の光源を、異なる角度で照射させて、異なる反射光を利用して、より多い情報が得られるように構成したものである。
【背景技術】
【０００２】
現在市場に出回っている同類の製品は皆、素子の検知が面倒で、かつ素子の質量に直接影響する。
【発明の開示】
【発明が解決しようとする課題】
【０００３】
本発明の目的は、既存技術の問題を改善するため、光源発生装置を提供する。
【課題を解決するための手段】
【０００４】
本発明は、青色灯固定リングに、白色リング状灯と青色リング状灯が設置され、緑色灯固定リングに緑色リング状灯が設置され、赤色灯固定リングに赤色リング状灯が設置されるように、青色灯固定リングと緑色灯固定リング及び赤色灯固定リングは、順に下から上へ設置され、白色リング状灯が、下端に設置され、放熱リングが、緑色灯リングの回りに設置され、上端面に、放熱ファンと光源固定リングが設置される光源発生装置である。
【０００５】
上記リング状灯は、下から上へ、順に、白色リング状灯、青色リング状灯、緑色リング状灯、赤色リング状灯が配列される。
【０００６】
上記リング状灯光源とカメラの角度が、小から大へ、順に、赤色リング状灯、緑色リング状灯、青色リング状灯、白色リング状灯である。
【発明の効果】
【０００７】
本発明は、既存の技術と比較すると、次の利点が得られる。
【０００８】
（１）複数の発光素子を、例えば、赤色や緑色、青色及び白色の４種類の光源を、異なる角度で照射させて、異なる反射光を利用して、より多い情報が得られる。
【０００９】
（２）素子を検知することがより便利であり、素子の品質を保証できる。
【発明を実施するための最良の形態】
【００１０】
以下、図面を参照しながら、本発明について、詳しく説明する。
【実施例】
【００１１】
図１乃至３を参照する。
本発明は、放熱ファン１と赤色灯固定リング２、緑色灯固定リング３、青色灯固定リング４、光源固定リング５、放熱リング６、青色リング状灯７、緑色リング状灯８、赤色リング状灯９及び白色リング状灯１０から構成され、青色灯固定リング４に白色リング状灯１０と青色リング状灯７が設置され、青色リング状灯７に緑色灯固定リング３が設置され、緑色灯固定リング３に緑色リング状灯８が設置され、緑色リング状灯８に赤色灯固定リング２が設置され、赤色灯固定リング２に赤色リング状灯９が設置され、緑色リング状灯８の回りに放熱リング６が設置され、上部に光源固定リング５と放熱ファン１が設置される。
【００１２】
本発明によれば、上から下へ、順に、赤色リング状灯と緑色リング状灯、青色リング状灯及び白色リング状灯が配列される。
【００１３】
上記のリング状灯光源とカメラの角度から言えば、赤色光源とカメラの角度が最小で、緑色光の角度が、赤色光より大きく、青色光源が、緑色光源より大きく、白色光和とメラ角度が、最大である。
【００１４】
図４を参照しながら、光源の原理を説明する。
【００１５】
光源は、赤色ＬＥＤ灯１２と緑色ＬＥＤ灯１３、青色ＬＥＤ灯１４及び白色ＬＥＤ灯１５がある。
【００１６】
四つの光源が、異なる角度で照射され、異なる反射光が得られるため、カメラ１１により更に多くの情報が得られる。
【００１７】
赤色光源とカメラとの角度が最小であり、平坦で滑らかな表面において、主に赤色光が反射される。例えば、ランドパターンや素子体１８である。
【００１８】
緑色光源の角度が赤色光より大きく、少し斜めになる滑らかな表面において、主に緑光が反射される。例えば、半田と素子体１８の近くにある半田部分１７である。
【００１９】
青色光源の角度が、更に、緑色光源より大きく、急坂の滑らかな表面において、主に青色光が反射され、例えば、素子体の近くにある半田の箇所である。
【００２０】
白色光とカメラの角度が最大のとき大部分の光がレンズを通すことができず、少しの光だけが、カメラに散乱反射される。例えば、ｐｃｂ板１６や素子本体で、主に背景の輝度を向上する。
【００２１】
カメラで撮影した画像によれば、画像の色が鮮やかで、コントラストが高く、素子の半田部分の階層がはっきりする。一つのカメラでも３Ｄの情報が得られ、電子組立ての品質検査に十分の情報を提供できる。
【００２２】
本発明では好ましい実施例を前述の通り開示したが、これらは決して本発明に限定するものではなく、当該技術を熟知する者なら誰でも、本発明の精神と領域を脱しない範囲内で各種の変更を加えることができる。従って本発明の保護範囲は、特許請求の範囲で指定した内容を基準とする。
【図面の簡単な説明】
【００２３】
【図１】本発明の構造概念図
【図２】本発明の上面図
【図３】図２のＡ−Ａの断面図
【図４】本発明の光源原理図
【符号の説明】
【００２４】
１      放熱ファン
２      赤色灯固定リング
３      緑色灯固定リング
４      青色灯固定リング
５      光源固定リング
６      放熱リング
７      青色リング状灯
８      緑色リング状灯
９      赤色リング状灯
１０    白色リング状灯
１１    カメラ
１２    赤色ＬＥＤ灯
１３    緑色ＬＥＤ灯
１４    青色ＬＥＤ灯
１５    白色ＬＥＤ灯
１６    ｐｃｂ板
１７    半田部分
１８    素子体
【図１】
2009500810.tif 000003
【図２】
2009500810.tif 000004
【図３】
2009500810.tif 000005
【図４】
2009500810.tif 000006
【国際調査報告】
2009500810.tif 000007
2009500810.tif 000008
2009500810.tif 000009
2009500810.tif 000010
2009500810.tif 000011
2009500810.tif 000012